(57)【要約】【課題】組付け空間が小さい場合に大きな挿入深さを得るような、飲料容器のためのホルダを提供する。【解決手段】飲料容器２のためのポット状の容器収容部３が設けられており、ホルダ１が、保持リング６と、容器収容部３に配置されたガイド５とを有しており、このガイド５が、保持リング６を、下降した位置と上昇した位置との間で上昇及び下降可能に案内している【選択図】　　　図１
2004042895.tif 000002
【特許請求の範囲】
【請求項１】
ホルダ（１，１ａ，１ｂ）であって、飲料容器（２）のためのポット状の容器収容部（３，３ａ，３ｂ）が設けられている形式のものにおいて、前記ホルダ（１，１ａ，１ｂ）が、保持リング（６，６ａ，６ｂ）と、前記容器収容部（３，３ａ，３ｂ）に配置されたガイド（５，５ａ，５ｂ）とを有しており、該ガイド（５，５ａ，５ｂ）が、前記保持リング（６，６ａ，６ｂ）を、下降した位置と上昇した位置との間で上昇及び下降可能に案内していることを特徴とする、ホルダ。
【請求項２】
前記ホルダ（１）が、保持リング（６）を上昇させるばねエレメント（８）と、解放可能な係止機構（１２）とを有しており、該係止機構が、係止された状態において、ばねエレメント（８）の力に抗して、下降した位置に保持リング（６）を保持するようになっている、請求項１記載のホルダ。
【請求項３】
前記保持リング（６）が、二重の壁部から成り、壁部（７）の間に、圧縮ばねとして形成されたばねエレメント（８）が配置されている、請求項２記載のホルダ。
【請求項４】
前記容器収容部（３ａ）が、保持リング（６ａ）に配置されたらせん状の溝（１６）に噛み合うピン（１５）を有している、請求項１記載のホルダ。
【請求項５】
前記ホルダ（１ｂ）が、旋回開放可能なカバー（１８）を有しており、前記保持リング（６ｂ）が、カバー（１８）に配置された制御ピン（１９）と、保持リング（６ｂ）に配置された制御カム（２０）とを備えたリンク装置（２１）を介して、連結されている、請求項１記載のホルダ。
【発明の詳細な説明】
【０００１】
【発明の属する技術分野】
本発明は、請求項１の上位概念部の特徴を備えた、飲料容器のためのホルダに関する。このホルダは、飲料缶、瓶又は同様のものを保持するために、車両に組み付けられるように設けられている。
【０００２】
【従来の技術】
従来技術から、ポット状の容器収容部を備えた多数のこのようなホルダが知られている。すなわち、例えば、自動車の中央コンソールの領域に、対応する凹所が配置される。この場合、しばしば、場所が不足しているために、瓶等の飲料容器のために十分な挿入深さを得ることができないという問題が生じる。
【０００３】
【発明が解決しようとする課題】
したがって、本発明の課題は、組付け空間が小さい場合に大きな挿入深さを得るような、飲料容器のためのホルダを提供することである。
【０００４】
【課題を解決するための手段】
本発明によれば、前記課題は請求項１の特徴によって解決された。本発明により、容器収容部の挿入深さは保持リングによって増大される。保持リングは、容器収容部に配置されたガイドによって、下降させられた位置と上昇させられた位置との間を案内される。容器収容部は、この場合僅かな深さ、例えば飲料缶の高さの３分の１しか必要としない。これにより、中央コンソールの内部における場所が制限されている場合でさえも、例えば中央コンソールの領域における組付けが可能である。同時に、保持リングは、下降させられた位置において、ホルダを取り囲んだパネルからほとんど又は全く突出せず、ひいては妨害を提供しない。極めて低い飲料容器、例えば小さな厚紙カップに、ホルダは、保持リングのこの下降させられた位置において既に十分に保持を提供する。より高い飲料容器を保持するためには、保持リングは上昇させられ、この位置において良好な保持を提供する。したがって、僅かな組付け空間の他にも、挿入深さが、種々異なる飲料容器サイズに適応可能であるという利点が提供される。
【０００５】
有利な実施例では、ホルダはばねエレメントを有しており、このばねエレメントは保持リングを上昇させる。保持リングを、下降した位置に保持することができるために、さらに係止機構が設けられており、この係止機構は保持リングをばねエレメントの力に抗して保持する。保持リングを上昇させるために、係止機構が解放され、これにより、保持リングが自動的に上昇させられる。下降させるために、保持リングは手で、係止機構が噛み合うまで押し下げられる。特別な実施例では、ばねエレメントは圧縮ばねとして形成されていて、２重の壁部から形成された保持リングの２つの壁部の間に挿入されている。
【０００６】
容器収容部にはピンが配置されており、このピンは、保持リングに配置されたらせん状の溝に噛み合っている。これにより、保持リングは、容器収容部に対して回転運動することによって、上下に可動である。このことは、上述のように、係止機構と関連したばねエレメントと組み合わされることができる。しかしながら、その他に、溝の構成によって、少なくとも上昇した位置において自己制動を生じることも可能である。この場合、保持リングは、手によって下降及び上昇させられる。本発明の思想から逸脱することなく、ピンが保持リングに、溝が容器収容部に配置されていることができる。
【０００７】
択一的に、保持リングの上昇及び下降は、ホルダの旋回開放可能なカバーを介して間接的に行われることができる。このためには、カバーと保持リングとは、リンク装置を介して互いに連結されており、この場合、カバーに制御ピンが配置されており、この制御ピンは、保持リングにおける制御カムに噛み合っている。カバーが開放することによって、保持リングは、容器収容部におけるガイドによって案内されながら、上方へ引っ張られる。これとは逆に、カバーの閉鎖時には保持リングが下降させられる。
【０００８】
以下に本発明を図面に示された実施例を参照にさらに詳細に説明する。
【０００９】
【発明の実施の形態】
図１に示されたホルダ１は、例えば中央コンソールの領域において自動車に組み付けるために設けられている。ホルダ１は、例えば図示された飲料缶等の飲料容器を挿入するために使用される。飲料容器を収容するために、ホルダ１は容器収容部３を有している。容器収容部には、取り囲んだリブ４が、二重の壁部から成る保持リング６のためのガイド５を形成するために配置されている。保持リング６は、上昇した位置において示されている。この位置に、保持リングは、壁部７の間に挿入された圧縮ばね８によって保持される。圧縮ばねは、一方では容器収容部３の取り囲んだリブ４に、他方では保持リング６の上縁部９の内側に支持している。上方への保持リング６の行程を制限するために、保持リング６と容器収容部３とにはそれぞれストッパ１０が設けられている。下降させるためには、保持リング６は、係止機構１２の係止突起１１が、保持リング６に設けられた係止溝１３に噛み合うまで、手で上縁部９において下方へ押し付けられる。ばね１４によって、係止突起１１はこの位置に保持される。下降した位置において、保持リング６の上縁部９は、取り囲んだパネル１５と共に垂直方向で見て同一平面を成す。係止突起１１を解放させるために、係止突起１１は、ばね１４の力に抗して手で押し付けられ、これにより、保持リング６は圧縮ばね８によって上昇させられる。保持リング６は、一方では所要の安定性を提供する硬いプラスチック成分から成っており、他方では上縁部９において柔軟な成分から成っている。両方の構成部材は、互いに素材結合されており、例えば二種成分射出成形において製造されている。柔軟な上縁部９は、例えば走行中に生じるおそれのある衝突を緩衝するために働く。また、例えば保持リングにおけるラック（図示せず）に関連した、容器収容部に設けられた歯車を備えた、回転緩衝装置を配置することによって、上昇及び下降が緩衝されることができる。
【００１０】
図２は、本発明の択一的な実施例を示している。図示されたホルダ１ａは容器収容部３ａを有しており、この容器収容部３ａにはピン１５が配置されており、このピン１５は、保持リング６ａに配置された、らせん状の溝１６に噛み合っている。上縁部９ａにおいて回転させることにより、保持リング６ａが上昇又は下降させられ、この場合、ピン１５が溝１６内で案内される。ピン１５と溝１６との間の摩擦により、保持リング６ａは、重力によって下降しないように、図示した上昇位置に保持されている。
【００１１】
図３は、ホルダ１ｂの別の択一的な実施例を示している。容器収容部３ｂには、枢支部１７を介してカバー１８が、ホルダ１ｂを閉鎖するように取り付けられている。カバー１８には制御ピン１９が取り付けられており、この制御ピン１９は、保持リング６ｂに配置された制御カム２０に噛み合っている。これにより、カバー１８と保持リング６ｂとは、リンク装置２１の形式で強制連結されている。カバー１８が開閉することにより、保持リング６ｂは上昇又は下降させられる。図示した上昇位置に保持リング６ｂを保持することは、リンク装置２１、枢支部１７、及び／又は容器収容部３ｂにおける保持リング６ｂのガイド５ｂにおける、対応する摩擦状態によって、達成されることができる。択一的に係止機構（図示せず）が設けられることができる。
【図面の簡単な説明】
【図１】ホルダを示す斜視断面図である。
【図２】ホルダの別の実施例を示す断面図である。
【図３】ホルダの別の実施例を示す断面図である。
【符号の説明】
１，１ａ，１ｂ　ホルダ、　３，３ａ，３ｂ　容器収容部、　４　リブ、　５，５ａ，５ｂ　ガイド、　６，６ａ，６ｂ　保持リング、　７　壁部、　８　圧縮ばね、　９　上縁部、　１０　ストッパ、　１１　係止突起、　１２　係止機構、　１３　係止溝、　１４　ばね、　１５　パネル、　１６　溝、　１７　枢支部、　１８　カバー、　１９　制御ピン、　２０　制御カム
【図１】
2004042895.tif 000003
【図２】
2004042895.tif 000004
【図３】
2004042895.tif 000005